(57)【要約】【課題】病床管理画面から所望の日付の所望の患者の入院状態を変更する際の入力操作の手間を軽減する。【解決手段】病床管理画面内に於いて行と列とにより区分される格子内のセルに病床と日付を対応付けてセルを管理するセル管理手段と、病床と患者の日付別の対応関係を保持する病床−患者記憶手段と、病床の利用状況の変更種別を入力するための変更種別入力手段と、変更種別が入力されてセルが選択された場合は、該選択セルに対応する病床と日付とにより特定される患者と日付とが指示する入院状態を、入力された変更種別に応じて変更可能とする入院状態変更手段とを有する診療支援装置。【選択図】　　　図２
2004086671.tif 000002
【特許請求の範囲】
【請求項１】
病床の空床状況と病床を使用する患者の入院状態とを含む病床の利用状況を管理するための病床管理画面を表示する機能を備えた診療支援装置であって、
病床管理画面内に於いて行と列とにより区分される格子内のセルに病床と日付を対応付けてセルを管理するセル管理手段と、
病床と患者の日付別の対応関係を保持する病床−患者記憶手段と、
病床の利用状況の変更種別を入力するための変更種別入力手段と、
変更種別が入力されてセルが選択された場合は、該選択セルに対応する病床と日付とにより特定される患者と日付とが指示する入院状態を、入力された変更種別に応じて変更可能とする入院状態変更手段と、
を有することを特徴とする診療支援装置。
【請求項２】
請求項１に於いて、
入力される変更種別は、入院登録、退院登録、外泊登録、外出登録、転床／転科登録等、病床の利用状況を変更するものである、
ことを特徴とする診療支援装置。
【請求項３】
病床の利用状況を管理するための病床管理画面を表示する機能を備えた診療支援装置であって、
病床管理画面内に於いて行と列とにより区分される格子内のセルに病床と日付を対応付けてセルを管理するセル管理手段と、
病床と患者の日付別の対応関係を保持する病床−患者記憶手段と、
病床の利用状況の変更種別を入力するための変更種別入力手段と、
変更種別が入力されることなくセルが選択された場合は、カルテ画面を起動して、該選択セルに対応する病床と日付とにより特定される患者と日付とが指示するカルテ内容を表示するカルテ管理手段と、
を有することを特徴とする診療支援装置。
【請求項４】
病床の利用状況を管理するための病床管理画面を表示する機能を備えた診療支援装置であって、
病床管理画面内に於いて行と列とにより区分される格子内のセルに病床と日付を対応付けてセルを管理するセル管理手段と、
病床と患者の日付別の対応関係を保持する病床−患者記憶手段と、
セルが選択された場合は、該選択セルに対応する病床と日付とにより特定される患者と日付とが指示する入院状態を、該入院状態により決まる次の入院状態に変更する入院状態変更手段と、
を有することを特徴とする診療支援装置。
【請求項５】
請求項４に於いて、
入院状態により決まる次の入院状態とは、入院状態が入院予定の場合に本日入院、入院状態が本日入院の場合に入院予定、入院状態が入院中の場合に外出中、入院状態が外出中の場合に外泊中、入院状態が外泊中の場合に入院中、入院状態が退院予定の場合に退院、入院状態が退院の場合に退院予定、である、
ことを特徴とする診療支援装置。
【請求項６】
請求項１〜請求項５の何れかに於いて、さらに、
セルの表示態様を、該セルに対応する病床と日付とにより特定される患者と日付とが指示する入院状態に応じて制御するセル表示制御手段、
を有することを特徴とする診療支援装置。
【発明の詳細な説明】
【０００１】
【発明の属する技術分野】
本発明は、電子カルテ機能を備えたコンピュータ装置であるところの診療支援装置に関する。詳しくは、病床管理画面に、各病床の患者の入院状態（入院予約／入院予定／本日入院／入院／外泊／外出／退院予定／退院）を表示する機能を備えた診療支援装置に関する。
【０００２】
【従来の技術】
病床管理画面では、図２に例示するように、本日（システム日付）を起点とする所定期間（例：１４日間）の各病床の患者の入院状態（入院予約／入院予定／本日入院／入院／外泊／外出／退院予定／退院）が、各セル上に表示される。即ち、行方向に当該行の病床の患者の入院状態、列方向に当該列の各病床の患者の入院状態が、表示される。また、各行の左端には、各行の病床の患者の本日（システム日付）の入院状態が表示される。
【０００３】
【発明が解決しようとする課題】
従来の病床管理画面に於いて、所望の日付の所望の患者の入院状態を変更したい場合には、まず、初期状態ではシステム日付が設定されている本日日付を所望の日付に変更し、次に、変更操作の種類（入院登録，退院登録，外泊登録，外出登録，転床／転科登録）を選択し、次に、所望の患者を選択するという、煩雑な入力操作の手間が必要であった。この煩雑さは、複数日に渡って入院状態を変更する場合に特に顕著となり（理由：その都度本日日付を変更する必要が生ずるため）、電子カルテの記録／再生の生産性を大きく損なっていた。
【０００４】
同様の問題は、病床管理画面から所望の患者の所望の受診日のカルテを開く場合にも生ずる。即ち、従来の病床管理画面に於いて、所望の患者の所望の日付のカルテを開いて表示したい場合には、まず、本日日付を所望の日付に変更し、次に、患者を選択するという、煩雑な入力操作の手間が必要であった。この煩雑さは、複数日に渡ってカルテを開いて表示する場合に特に顕著となり、電子カルテの記録／再生の生産性を大きく損なっていた。
【０００５】
本発明は、病床管理画面から所望の日付の所望の患者の入院状態を変更する際の入力操作の手間や、病床管理画面から所望の患者の所望の受診日のカルテを開く際の入力操作の手間を軽減することを目的とする。
【０００６】
【課題を解決するための手段】
本発明は、下記［１］〜［６］のように構成される。
［１］　病床の空床状況と病床を使用する患者の入院状態とを含む病床の利用状況を管理するための病床管理画面を表示する機能を備えた診療支援装置であって、
病床管理画面内に於いて行と列とにより区分される格子内のセルに病床と日付を対応付けてセルを管理するセル管理手段と、
病床と患者の日付別の対応関係を保持する病床−患者記憶手段と、
病床の利用状況の変更種別を入力するための変更種別入力手段と、
変更種別が入力されてセルが選択された場合は、該選択セルに対応する病床と日付とにより特定される患者と日付とが指示する入院状態を、入力された変更種別に応じて変更可能とする入院状態変更手段と、
を有することを特徴とする診療支援装置。
【０００７】
［２］　前記［１］に於いて、
入力される変更種別は、入院登録、退院登録、外泊登録、外出登録、転床／転科登録等、病床の利用状況を変更するものである、
ことを特徴とする診療支援装置。
【０００８】
［３］　病床の利用状況を管理するための病床管理画面を表示する機能を備えた診療支援装置であって、
病床管理画面内に於いて行と列とにより区分される格子内のセルに病床と日付を対応付けてセルを管理するセル管理手段と、
病床と患者の日付別の対応関係を保持する病床−患者記憶手段と、
病床の利用状況の変更種別を入力するための変更種別入力手段と、
変更種別が入力されることなくセルが選択された場合は、カルテ画面を起動して、該選択セルに対応する病床と日付とにより特定される患者と日付とが指示するカルテ内容を表示するカルテ管理手段と、
を有することを特徴とする診療支援装置。
【０００９】
［４］　病床の利用状況を管理するための病床管理画面を表示する機能を備えた診療支援装置であって、
病床管理画面内に於いて行と列とにより区分される格子内のセルに病床と日付を対応付けてセルを管理するセル管理手段と、
病床と患者の日付別の対応関係を保持する病床−患者記憶手段と、
セルが選択された場合は、該選択セルに対応する病床と日付とにより特定される患者と日付とが指示する入院状態を、該入院状態により決まる次の入院状態に変更する入院状態変更手段と、
を有することを特徴とする診療支援装置。
【００１０】
［５］　前記［４］に於いて、
入院状態により決まる次の入院状態とは、入院状態が入院予定の場合に本日入院、入院状態が本日入院の場合に入院予定、入院状態が入院中の場合に外出中、入院状態が外出中の場合に外泊中、入院状態が外泊中の場合に入院中、入院状態が退院予定の場合に退院、入院状態が退院の場合に退院予定、である、
ことを特徴とする診療支援装置。
なお、外出中と外泊中の順序は入れ換えてもよい。
【００１１】
［６］　前記［１］〜［５］の何れかに於いて、さらに、
セルの表示態様を、該セルに対応する病床と日付とにより特定される患者と日付とが指示する入院状態に応じて制御するセル表示制御手段、
を有することを特徴とする診療支援装置。
セル表示制御手段は、例えば、入院状態に応じて決まる特有のアイコンを表示したり、入院状態に応じて決まる特有の表示色で表示する。
【００１２】
【発明の実施の形態】
図１は、実施の形態の診療支援装置（＝電子カルテ機能を備えたコンピュータ装置）の構成図である。図２〜図６は図１の診療支援装置で表示される画面例を示す説明図であり、図２は病床管理画面、図３は入院登録画面、図４は退院登録画面、図５は転床／転科登録画面、図６はカルテ２号紙画面、をそれぞれ例示する。図７は、病床管理画面で各日付項目下の病床状態を示すために用い得るアイコンを例示する説明図である。図８〜図１２は図１の診療支援装置で使用されるテーブルの構成例を示す説明図であり、図８は病床割当テーブル、図９は病床テーブル（ａ）と病室テーブル（ｂ）、図１０は基本情報テーブル（ａ）と入院情報テーブル（ｂ）、図１１は経過等テーブル（ａ）と処方等テーブル（ｂ）、図１２は患者テーブル（ａ）と医師等テーブル（ｂ）、をそれぞれ例示する。図１３〜図１７は病床管理画面での処理手順を示すフローチャートである。
【００１３】
［１］装置の概要：
本診療支援装置は、図１に示すように、ＣＰＵ・ＲＡＭ・ＲＯＭ等を備えた制御装置１０、ハードディスク等で構成される記憶装置１１、液晶モニタ或いはＣＲＴ等で構成される表示装置１６、キーボードやマウス等で構成される入力装置１７、印刷装置１８、等を備えたコンピュータ装置である。これらを有するコンピュータ装置の構成は周知であるため、原則として説明は省略する。また、図１はスタンドアローンの構成例を示しているが、本診療支援装置は、ＬＡＮ上のサーバ及びクライアントを用いて構成してもよい。要は、本発明の機能を実現できる構成であれば、単独のコンピュータ装置であるか、複数のコンピュータ装置を連携させたものであるかは問わない。
【００１４】
ハードディスク１１には、電子カルテ機能を実現するためのアプリケーションソフトウエアが記憶されている。電子カルテ機能のうち公知の部分については説明を省略し、入院状態の変更等に係る機能を中心に説明する。
【００１５】
［２］テーブル：
ハードディスク１１には、また、電子カルテ機能に於いて使用する診療情報データベースが記憶されている。診療情報データベースのうち公知の部分については説明を省略し、病床管理画面の表示や病床管理画面での処理に於いて使用するテーブル（病床割当テーブル、病床テーブル、病室テーブル、基本情報テーブル、入院情報テーブル、経過等テーブル、処方等テーブル、患者テーブル、医師等テーブル等）の構成例を説明する。なお、以下はテーブル構成の一例を示すものであり、本発明の機能を奏し得る構成であれば、以下と異なるテーブル構成を採用してよいことは勿論である。
【００１６】
病床割当テーブル（図８）は患者毎・期間毎に病床の割り当てを管理する。病床割当テーブルでは、病床に患者が対応付けられる毎にレコードが追加される。病床割当テーブルでは、一意の割当ＩＤに、病床ＩＤと患者ＩＤと使用開始日時と使用終了日時とを対応付けている。同日に１つの病床を複数の患者が使用する場合（例：患者ａが午前中に退院し，患者ｂが午後に入院する場合）には、該１つの病床ＩＤに、該複数の患者ＩＤを対応付ける。順序は、例えば、患者ＩＤの昇順とする。
【００１７】
病床テーブル（図９（ａ））では、一意の病床ＩＤに、病室ＩＤ、病床番号、病床名、病床区分、付帯設備等が対応付けられている。
病室テーブル（図９（ｂ））では、一意の病室ＩＤに、病室名、使用者区分等が対応付けられている。
【００１８】
基本情報テーブル（図１０（ａ））では、受診（又は処方）毎にレコードが追加される。「又は処方」とは、例えば、入院の場合、予め数日分の投薬等を処方しておくことがあり、その場合、該投薬等の対象の日付（受診日）のレコードが追加されることをいう。基本情報テーブルでは、一意の基本情報ＩＤに、患者ＩＤ、受診ＩＤ、受診日（処方対象日）、受診区分（初診／再来）、入院区分（入院／外泊／外出）等を対応付けている。
【００１９】
入院情報テーブル（図１０（ｂ））では、入院書誌（入院予約／入院，等）が発生した患者毎に、レコードが追加される。入院情報テーブルでは、一意の入院情報ＩＤに、患者ＩＤ、入院予約日、入院日、退院予定日、退院日等を対応付けている。
【００２０】
経過等テーブル（図１１（ａ））では、受診毎に且つ経過等（主訴／所見／体温／メモ等）毎にレコードが追加される。経過等テーブルでは、一意の経過等ＩＤに、患者ＩＤ、受診ＩＤ、受診日、経過等の名称、経過等の内容、入力者ＩＤ等を対応付けている。受診ＩＤは、基本情報の受診ＩＤと共通である。
処方等テーブル（図１１（ｂ））では、受診毎に且つ処方等（注射−点滴／注射−静注／投薬等）毎にレコードが追加される。処方等テーブルでは、一意の処方等ＩＤに、患者ＩＤ、受診ＩＤ、受診日、処方等の名称、処方等の内容、入力者ＩＤ等を対応付けている。受診ＩＤは、基本情報及び経過等の受診ＩＤと共通である。
【００２１】
患者テーブル（図１２（ａ））では、新規来院の患者毎にレコードが追加される。患者テーブルでは、一意の患者ＩＤに、患者氏名、患者コード、主治医である医師ＩＤ、住所、電話番号、性別、生年月日等を対応付けている。
医師等テーブル（図１２（ｂ））では、新規勤務の医師等（医師，看護婦，検査技師等）毎にレコードが追加される。一意の医師等ＩＤに、医師等氏名、医師等コード、所属診療科、住所、電話番号、等を対応付けている。
上記各テーブルの使用方法については、以下の手順（病床管理画面の手順）の説明で詳述する。
【００２２】
［３］病床管理画面の手順（図１３〜図１７）：
（イ）病床管理画面の表示：
何れかの画面（例：メニュー画面等）で、病床管理画面の表示が、例えばユーザの操作入力で指令されると、電子カルテアプリケーションから病床管理画面を表示するためのデータを取得して、病床管理画面を起動する（Ｓ０１）。
【００２３】
次に、病床管理画面の表示対象期間を設定する（Ｓ０３）。
即ち、まず、システム日付を取得し、該取得したシステム日付を本日日付とする。この本日日付から、本日日付＋１４日までの期間を、表示対象期間として設定する。なお、本日日付をユーザの操作入力で初期設定したり、後に変更するようにしてもよい。また、上記１４日の期間は、操作入力等で適宜に変更可能としてよい。こうして表示対象期間が決まると、該期間に該当する病床ＩＤ−患者ＩＤの対応関係を病床割当テーブルから取得してメモリ（ＲＡＭ）に保持する。
【００２４】
次に、表示対象行数と各行の病床を設定する（Ｓ０５）。
原則として、１行に１の病床を、病床管理画面内の病床状態表示領域（図２のセル領域）内の第１行から順に、病床ＩＤ順に割り当てる。表示対象期間内の何れかの日に於いて１の病床に同日に複数の患者が対応付けられている場合は、該病床用に、当該複数の行を割り当てる。１の病床に同日に複数の患者が対応付けられている場合とは、例えば、患者ａが午前中に退院し，患者ｂが午後に入院するような場合に発生する。
行と病床ＩＤの対応関係をメモリ（ＲＡＭ）に保持する。
【００２５】
次に、状態項目（病床管理画面内左端の表示項目）の表示データを設定して選択可能に表示する（Ｓ０７）。図１４に即して説明する。
【００２６】
まず、基本情報テーブル（図１０（ａ））から、受診日が本日〜本日＋１４日の期間に含まれており、且つ、入院区分項目にデータを持つ（入院／外泊中／外出中）レコードを抽出し、該抽出した各レコードについて、入院区分データ（入院／外泊中／外出中）と患者ＩＤとを、それぞれ取得する（Ｓ０７ａ）。
また、入院情報テーブル（図１０（ｂ））から、入院予約日、入院日、退院予定日、退院日、の何れかが本日の日付に合致するレコードを抽出し、該抽出した各レコードについて、本日の日付を持つ項目名（入院予約日／入院日／退院予定日／退院日）をそれぞれ取得する（Ｓ０７ａ）。
【００２７】
次に、抽出した各レコードの入院区分等の表示行を決定する（Ｓ０７ｃ）。まず、各行と病床ＩＤの対応関係をメモリから読み出す（Ｓ０５参照）。また、表示対象期間内の病床ＩＤ−患者ＩＤの対応関係を、メモリから読み出す（Ｓ０３参照）。これにより、各行と患者ＩＤが病床ＩＤをキーとして対応付けられ、各行と抽出レコードとが患者ＩＤをキーとして対応付けられる。即ち、抽出した各レコード用の表示行が決定される。なお、同日に１つの病床を複数の患者が使用する場合には、前述のように、該１つの病床ＩＤに、該複数の患者ＩＤが、患者ＩＤの昇順に対応付けられているため、それぞれ取得するものとする。
行と患者ＩＤの対応関係をメモリ（ＲＡＭ）に保持する。
【００２８】
こうして表示行が決まると、各抽出レコードの入院区分等（入院／外泊中／外出中／入院予約／本日入院／退院予定／退院）を、状態項目下の決定された表示行に、それぞれ選択可能に表示する（Ｓ０７ｅ）。例えば、各表示領域の座標範囲を、該領域の選択を検出できるようにメモリ（ＲＡＭ）に保持する。ステップＳ０７ｅからは、ステップＳ０９（図１３）へ進む。
【００２９】
ステップＳ０９では、病棟区分（老人棟等）、病室、主治医、診療科、患者氏名、患者コード、入院日、退院日、の各項目の各行の表示データ（図２の病床管理画面内セル領域内左寄り部分〜中央部分の各セルの表示データ）を設定して表示する。この表示には、行と病床ＩＤの対応関係（Ｓ０５参照）、病床ＩＤと病室ＩＤの対応関係（病床テーブル）、病室ＩＤと病室名と病室区分の対応関係（病室テーブル）、行と患者ＩＤの対応関係（Ｓ０７ｃ参照）、患者ＩＤと医師等ＩＤと医師等氏名と診療科の対応関係（患者テーブル・医師等テーブル）、患者ＩＤと患者氏名と患者コードの対応関係（患者テーブル）を利用する。
【００３０】
次に、本日〜本日＋１４日の各日付項目下の各行の表示データ（図２の病床管理画面内セル領域内右寄り部分の各セルの表示データ）を設定して、選択可能に表示する（Ｓ１１）。図１５に即して説明する。
【００３１】
まず、基本情報テーブル（図１０（ａ））から、受診日が本日〜本日＋１４日の期間に含まれており、且つ、入院区分項目にデータを持つ（入院／外泊中／外出中）レコードを日付別に抽出し、該日付別に抽出した各レコードについて、入院区分データ（入院／外泊中／外出中）と患者ＩＤとを、それぞれ取得する（Ｓ１１ａ）。
また、入院情報テーブル（図１０（ｂ））から、入院予約日、入院日、退院予定日、退院日、の何れかが当日の日付に合致するレコードを日付別に抽出し、該日付別に抽出した各レコードについて、当日の日付を持つ項目名（入院予約日／入院日／退院予定日／退院日）をそれぞれ取得する（Ｓ１１ａ）。
【００３２】
次に、日付別に抽出した各レコードの入院区分等の表示行を、日付毎に決定する（Ｓ１１ｃ）。まず、各行と患者ＩＤの対応関係をメモリから読み出す（Ｓ０７ｃ参照）。これにより、各行と抽出レコードとが患者ＩＤをキーとして、日付別に対応付けられる。即ち、抽出した各レコード用の表示行が、日付毎に決定される。なお、同日に１つの病床を複数の患者が使用する場合には、それぞれ取得するものとする。
【００３３】
次に、ステップＳ１１ｄで、入院区分等の表示を容易に識別できるように入院区分等（入院／外泊中／外出中／入院予約／本日入院／退院予定／退院）別に用意されているアイコンを取得する。アイコンの例を、図７に示す。なお、アイコンに代えて、例えば、入院区分等に応じて表示色を変えることで、入院区分等の表示を容易に識別できるようにしてもよい。
【００３４】
こうして表示行が決まり、さらに、入院区分等に応じた表示アイコンが取得されると、日付別の各抽出レコードの入院区分等（入院／外泊中／外出中／入院予約／本日入院／退院予定／退院）を、該当する日付項目下の、決定された表示行に、それぞれアイコンを用いて、選択可能に表示する（Ｓ１１ｅ）。例えば、各表示領域（各アイコンの表示領域）の座標範囲を、該領域の選択を検出できるようにメモリ（ＲＡＭ）に保持する。ステップＳ１１ｅからは、ステップＳ１３（図１３）へ進み、イベントを待機する。
【００３５】
イベントが発生すると、ステップＳ２１以降へ進む。イベントとは、病床管理画面内のセル領域内の何れかの日付項目下の何れかのアイコンのクリックや、状態項目下の状態ボタンの押下である。
【００３６】
ステップＳ２１（図１６）では、変更操作の種類が選択されているか否かチェックされる。即ち、病床管理画面内の下部右寄り部分に表示されているチェック欄（入院，退院，入院削除，外泊／入院，外出／入院，転床／転科，の各チェック欄）の何れかに、チェックが記入されているか否かチェックされる。何れかのチェック欄にチェックが記入されている場合に、変更操作の種類が選択されている（Ｓ２１でＹＥＳ）と判定される。
【００３７】
変更操作の種類が選択されている場合に於いて（Ｓ２１でＹＥＳ）、日付項目下の何れかのアイコンがクリックされた場合は（Ｓ２３でＹＥＳ）、クリックされたアイコンに対応する日付・患者のデータを取得する（Ｓ２５）。ここで、患者のデータとは、登録画面に表示するデータや、入院区分の切換に必要なデータであり、例えば、入院区分等（入院／外泊中／外出中／入院予約／本日入院／退院予定／退院）や、患者氏名である。
【００３８】
次に、選択されている変更操作の種類を調べる。その結果、選択されている変更操作の種類が「入院予約／入院削除」の場合は（Ｓ３１でＹＥＳ）、入院登録画面（図３参照）を起動して、ステップＳ２５で取得した日付・患者氏名・現在の状態を表示する（Ｓ３１ａ）。以後、入院登録画面での処理が行われる。
【００３９】
また、選択されている変更操作の種類を調べた結果、選択されている変更操作の種類が「退院」の場合は（Ｓ３３でＹＥＳ）、退院登録画面（図４参照）を起動して、ステップＳ２５で取得した日付・患者氏名・現在の状態を表示する（Ｓ３３ａ）。以後、退院登録画面での処理が行われる。
【００４０】
同様に、選択されている変更操作の種類を調べた結果、選択されている変更操作の種類が「転床／転科」の場合は（Ｓ３５でＹＥＳ）、転床／転科登録画面（図５参照）を起動して、ステップＳ２５で取得した日付・患者氏名・現在の状態を表示する（Ｓ３５ａ）。以後、入院登録画面での処理が行われる。
【００４１】
一方、選択されている変更操作の種類を調べた結果、選択されている変更操作の種類が「外泊／入院」の場合は（Ｓ３７でＹＥＳ）、ステップＳ２５で取得した現在の状態を切り換える。また、アイコン表示も、切り換え後の状態に対応する表示に切り換える（Ｓ３７ａ）。例えば、現在の状態が「外泊」であれば、該当する入院区分を「入院」に切り換えるとともに、アイコン表示も「入院中」を示すアイコンに切り換える。逆に、現在の状態が「入院」であれば、該当する入院区分を「外泊」に切り換えるととも、アイコン表示も「外泊中」を示すアイコンに切り換える。
【００４２】
同様に、選択されている変更操作の種類を調べた結果、選択されている変更操作の種類が「外出／入院」の場合は（Ｓ３９でＹＥＳ）、ステップＳ２５で取得した現在の状態を切り換える。また、アイコン表示も、切り換え後の状態に対応する表示に切り換える（Ｓ３９ａ）。例えば、現在の状態が「外出」であれば、該当する入院区分を「入院」に切り換えるとともに、アイコン表示も「入院中」を示すアイコンに切り換える。逆に、現在の状態が「入院」であれば、該当する入院区分を「外出」に切り換えるととも、アイコン表示も「外出中」を示すアイコンに切り換える。
【００４３】
一方、前記ステップＳ２１で、変更操作の種類が選択されていないと判定された場合に於いて（Ｓ２１でＮＯ）、日付項目下の何れかのアイコンがクリックされた場合は（Ｓ４１でＹＥＳ）、クリックされたアイコンに対応する日付・患者のデータを取得する（Ｓ４３）。この場合、患者のデータとは、カルテ２号紙画面に表示するデータであり、例えば、経過等や処方等のデータである。
【００４４】
次に、ステップＳ４５に進み、クリックされたアイコン位置の患者且つ日付のカルテを開き、カルテ２号紙画面に、ステップＳ４３で取得したデータを表示する。以後、カルテ２号紙画面での処理が行われる。
【００４５】
上記では、状態項目下の何れかの行のボタン（当該行の患者の入院状態を表示しているボタン）が押下された場合については説明を省略している。この場合を簡単に説明する。
【００４６】
状態項目下の何れかのボタンが押下された場合に於いて、変更操作の種類が選択されている場合には、本日の日付項目下のアイコンの場合と同様に扱う。つまり、選択されている変更操作の種類に応じて、本日用の入院登録画面，退院登録画面，転床／転科登録画面、を表示し、或いは、本日の入院状態を、外泊を入院に（又は入院を外泊に）、外出を入院に（又は入院を外出に）、切り換える。
【００４７】
一方、状態項目下の何れかのボタンが押下された場合に於いて、変更操作の種類が選択されていない場合には、当該行の患者の本日のカルテ画面を開く処理を実行するようにしてもよいが、これに代えて、例えば、「入院予定」を「本日入院」に切り換える、「本日入院」を「入院予定」に切り換える、「退院予定」を「退院」に切り換える、「退院」を「退院予定」に切り換える、「入院中」と「外出中」と「外泊中」をサイクリックに切り換える（「入院中」を「外出中」に、「外出中」を「外泊中」に、「外泊中」を「入院中」に、切り換える）、等の処理を行うようにしてもよい。また、これらの切換を、押下されている間、サイクリックに行うようにしてもよい。
【００４８】
同様の処理を、各日付項目下のアイコンに適用することも可能である。
即ち、前述の例では、変更操作の種類が選択されていない場合であって、且つ日付項目下の何れかのアイコンがクリックされた場合に、当該行の患者の当該日付のカルテを開くように処理している。かかる処理に代えて、変更操作の種類として新たに「カルテを開く」を設け、「カルテを開く」が選択されている場合にはカルテを開き、「カルテを開く」が選択されていない場合は「入院予定」を「本日入院」に切り換える、「本日入院」を「入院予定」に切り換える、「退院予定」を「退院」に切り換える、「退院」を退院予定に切り換える、「入院中」と「外出中」と「外泊中」をサイクリックに切り換える（「入院中」を「外出中」に、「外出中」を「外泊中」に、「外泊中」を「入院中」に、切り換える）、等の処理を行うようにしてもよい。また、これらの切換を、押下されている間、サイクリックに行うようにしてもよい。
【００４９】
【発明の効果】
前記［１］の診療支援装置は、病床管理画面内に於いて行と列とにより区分される格子内のセルに病床と日付を対応付けてセルを管理するセル管理手段と、病床と患者の日付別の対応関係を保持する病床−患者記憶手段と、病床の利用状況の変更種別を入力するための変更種別入力手段と、変更種別が入力されてセルが選択された場合は、該選択セルに対応する病床と日付とにより特定される患者と日付とが指示する入院状態を、入力された変更種別に応じて変更可能とする入院状態変更手段とを有するため、病床管理画面から所望の日付の所望の患者の入院状態を変更する際の入力操作の手間を軽減することができる。
【００５０】
前記［３］の診療支援装置は、病床管理画面内に於いて行と列とにより区分される格子内のセルに病床と日付を対応付けてセルを管理するセル管理手段と、病床と患者の日付別の対応関係を保持する病床−患者記憶手段と、病床の利用状況の変更種別を入力するための変更種別入力手段と、変更種別が入力されることなくセルが選択された場合は、カルテ画面を起動して、該選択セルに対応する病床と日付とにより特定される患者と日付とが指示するカルテ内容を表示するカルテ管理手段とを有するため、病床管理画面から所望の患者の所望の受診日のカルテを開く際の入力操作の手間を軽減することができる。
【００５１】
前記［４］の診療支援装置は、病床管理画面内に於いて行と列とにより区分される格子内のセルに病床と日付を対応付けてセルを管理するセル管理手段と、病床と患者の日付別の対応関係を保持する病床−患者記憶手段と、セルが選択された場合は、該選択セルに対応する病床と日付とにより特定される患者と日付とが指示する入院状態を、該入院状態により決まる次の入院状態に変更する入院状態変更手段とを有するため、病床管理画面から所望の日付の所望の患者の入院状態を変更する際の入力操作の手間を軽減することができる。
【図面の簡単な説明】
【図１】実施の形態の診療支援装置（＝電子カルテ機能を備えたコンピュータ装置）の構成図。
【図２】病床管理画面を例示する説明図。
【図３】入院登録画面を例示する説明図。
【図４】退院登録画面を例示する説明図。
【図５】転床／転科登録画面を例示する説明図。
【図６】カルテ２号紙画面を例示する説明図。
【図７】病床管理画面で各日付項目下の病床状態を示すために用い得るアイコンを例示する説明図。
【図８】病床割当テーブルを例示する説明図。
【図９】病床の管理情報が記録されている病床テーブルを例示する説明図（ａ）と、病室の管理情報が記録されている病室テーブルを例示する説明図（ｂ）。
【図１０】診療の基本情報が記録される基本情報テーブルを例示する説明図（ａ）と、入院情報テーブルを例示する説明図（ｂ）。
【図１１】診療の経過等が記録される経過等テーブルを例示する説明図（ａ）と、診療の処方等が記録される処方等テーブルを例示する説明図（ｂ）。
【図１２】患者の書誌情報が記録されている患者テーブルを例示する説明図（ａ）と、医師等の書誌情報が記録されている医師等テーブルを例示する説明図（ｂ）。
【図１３】病床管理画面での処理手順を示すフローチャートの一部。
【図１４】図１３の状態項目表示手順（Ｓ０７）の詳細を示すフローチャート。
【図１５】図１３の日付項目表示手順（Ｓ１１）の詳細を示すフローチャート。
【図１６】病床管理画面での処理手順を示すフローチャートの一部。
【図１７】病床管理画面での処理手順を示すフローチャートの残部。
【符号の説明】
１０　制御装置
１１　記憶装置（ハードディスク）
【図１】
2004086671.tif 000003
【図２】
2004086671.tif 000004
【図３】
2004086671.tif 000005
【図４】
2004086671.tif 000006
【図５】
2004086671.tif 000007
【図６】
2004086671.tif 000008
【図７】
2004086671.tif 000009
【図８】
2004086671.tif 000010
【図９】
2004086671.tif 000011
【図１０】
2004086671.tif 000012
【図１１】
2004086671.tif 000013
【図１２】
2004086671.tif 000014
【図１３】
2004086671.tif 000015
【図１４】
2004086671.tif 000016
【図１５】
2004086671.tif 000017
【図１６】
2004086671.tif 000018
【図１７】
2004086671.tif 000019